(57)【要約】      （修正有）【課題】簡易な溝により前、後角度の調整が可能で、部品数が少なく組立が容易で部品の毀損率の低い、低コストの前後リフト機能を有するランニングマシンを提供する。【解決手段】前側リフト調整機構２０は、斜め連動スイングフレーム２１、伸縮駆動装置２２と螺動座２３を備えてなり、該斜め連動スイングフレームの上端はフレーム前側の底部に、その下端は二縦向きサイドバーの底側に接続しているが、前記螺動座はフレーム前側の底部のもう一箇所に位置決められており、後側リフト調整装置３０は、二つの位置決めフレームプレート３１と一つのスイング支持フレーム３２を備え、前記二位置決めフレームプレートはカーブガイドサイドと上、下位置決め溝３１４を有し、該スイング支持フレームは、二つの接続端部、二つの位置決めリブと支持端部を備えてなり、該接続端部は、位置決めフレームプレートに設けられ、支持端部は、横向き収納角度の状態または縦向き支持角度の状態でスイングするように設けられる。【選択図】図１
0003170794.tif 000002
【実用新案登録請求の範囲】
【請求項１】
ランニングマシン本体のフレーム底部の前、後側にそれぞれ、微調整式の前側リフト調整機構及び二段階位置決め式の後側リフト調整装置が設けられ、該前側リフト調整機構は、斜め連動スイングフレーム、伸縮駆動装置と螺動座を備えてなり、該斜め連動スイングフレームの上端はフレーム前側の底部に、その下端は二縦向きサイドバーの底側に接続しているが、該伸縮駆動装置のモーターは、斜め連動スイングフレームに、該ネジはネジ接続状態で、該螺動座を通って、フレーム前側の底部の一箇所に接続し、前記螺動座はフレーム前側の底部のもう一箇所に位置決められており、前記後側リフト調整装置は、二つの位置決めフレームプレートと一つのスイング支持フレームを備え、前記二位置決めフレームプレートはカーブガイドサイドと上、下位置決め溝を有し、縦向きにフレーム後側底部の両側に設けられているが、該スイング支持フレームは、二つの接続端部、二つの位置決めリブと支持端部を備えてなり、該接続端部は、位置決めフレームプレートに設けられ、支持端部は、横向き収納角度の状態または縦向き支持角度の状態でスイングするように設けられるが、前記位置決めリブは、上位置決め溝または下位置決め溝の位置に合わせて嵌められ、支持端部の横向き・縦向き角度の状態が位置決められるように設けられているように構成されたランニングマシン。
【請求項２】
該置きフレーム１５は、コ字形に設けられて、二つの平行延長バー１５０が形成されるが、該二平行延長バー１５０は更に、ローラー１６が設けられていることを特徴とする請求項１に記載のランニングマシン。
【請求項３】
該後側リフト調整装置３０のスイング支持フレーム３２の二接続端部３２０には、長い穴３２６が設けられているが、該位置決めフレームプレート３１には、スイング支持フレーム３２が接続するための位置決めシャフトボルト３３が設けられ、それによって該長い穴３２６に嵌められるようになるが、また、該位置決めシャフトボルト３３とスイング支持フレーム３２にある位置決めリブ３２２との間には更に、スプリング３４が設けられ、それにより、スイング支持フレーム３２を引いて、復帰スプリング作用が生じるようになるが、そのうえ、該スイング支持フレーム３２の支持端部３２４の両側には、ホイール体３５が設けられていることを特徴とする請求項１に記載の前後リフト機能付きランニングマシン。
【考案の詳細な説明】
【技術分野】
【０００１】
本考案は、ランニングマシンに関わり、特に、前、後リフト機能を持つランニングマシン構造に関する。
【背景技術】
【０００２】
周知のように、ランニングマシンの主な構造は、通常は台座、走行ベルト、駆動装置、ハンドルと制御パネルからなる。
【０００３】
従来のランニングマシンの走行ベルトは、水平の角度または前側がやや上向き斜めの形態に設けられていたが、その後、使用性の向上、運動効果をより大きくするために、台座の横置き角度が調整可能なリフト構造設計が幾つか発明され、それにより、走行台を適当な角度に上げ、使用者の必要な角度に応じて調整できるように改良されてきた。
【０００４】
しかし、従来のランニングマシンのリフト調整構造は設計上、やはり幾つかの問題点が存在し、例えば、単なるランニングマシン前側の底部に設けられるリフト調整構造の場合は、使用の時、前側が上がる状況（すなわち上り坂タイプ）の角度に調整する機能のみで、後側が上がる状況（すなわち下り坂タイプ）に調整する機能は持たないということで、その後、ランニングマシンの前、後側の上がりや下がりの作動を行わせる構造が提案されている。それらの構造は通常、その前、後リフト調整構造の間に、長い伝動部品が相互に連結されて、同時に動作することが必要となり、調整構造全体として、部品が多く、組立コストが高く、組立の困難性や部品の毀損率が高まり、状態の安定性がよくないという問題点がある。
【考案の概要】
【考案が解決しようとする課題】
【０００５】
本考案は、上記問題点に鑑みて、簡易な溝により前、後角度の調整が可能で、部品数が少なく組立が容易で部品の毀損率の低い、低コストの前後リフト機能を有するランニングマシンを提供する。
【課題を解決するための手段】
【０００６】
ランニングマシン本体のフレーム底部の前、後側にそれぞれ、微調整式の前側リフト調整機構及び二段階位置決め式の後側リフト調整装置が設けられ、該前側リフト調整機構は、斜め連動スイングフレーム、伸縮駆動装置と螺動座を備えてなり、該斜め連動スイングフレームの上端はフレーム前側の底部に、その下端は二縦向きサイドバーの底側に接続しているが、該伸縮駆動装置のモーターは、斜め連動スイングフレームに、該ネジはネジ接続状態で、該螺動座を通って、フレーム前側の底部の一箇所に接続し、前記螺動座はフレーム前側の底部のもう一箇所に位置決められており、前記後側リフト調整装置は、二つの位置決めフレームプレートと一つのスイング支持フレームを備え、前記二位置決めフレームプレートはカーブガイドサイドと上、下位置決め溝を有し、縦向きにフレーム後側底部の両側に設けられているが、該スイング支持フレームは、二つの接続端部、二つの位置決めリブと支持端部を備えてなり、該接続端部は、位置決めフレームプレートに設けられ、支持端部は、横向き収納角度の状態または縦向き支持角度の状態でスイングするように設けられるが、前記位置決めリブは、上位置決め溝または下位置決め溝の位置に合わせて嵌められ、支持端部の横向き・縦向き角度の状態が位置決められるように設けられているように構成されたランニングマシン。
【考案の効果】
【０００７】
本考案に掲示したランニングマシンは、該フレーム前側が微調整式の前側リフト調整機構に合わせて、リフトするようになり、該フレーム後側が二段階位置決め式の後側リフト調整装置に合わせてリフトするようになるという構成により、従来技術に比べると、ランニングマシンが前後リフト機能を持つと同時に、その構成部品が前後分離型になり、大幅に簡単化し、組立コストが削減可能、組立の困難性と部品の毀損率が低減できること、また、該二段階位置決め式の後側リフト調整装置は、位置決めリブによって上、下位置決め溝に嵌められるという二段式嵌合の位置決めで、素早くリフトの変化を行い、構造の簡単化、安定化が可能となり、状態を維持することがより確実となり安定性がある。
【図面の簡単な説明】
【０００８】
【図１】本考案のランニングマシンの平面側面図。
【図２】本考案のランニングマシンの局所部品の組立立体図。
【図３】本考案のランニングマシンの前側リフト調整機構の分解立体図。
【図４】本考案のランニングマシンの後側リフト調整装置の組立立体図。
【図５】本考案のランニングマシンの前側リフト調整機構のリフト作動イメージ。
【図６】本考案のランニングマシンの後側リフト調整装置のリフト作動イメージ。
【図７】本考案のランニングマシン本体のフレームがやや上り坂タイプになる場合の平面図。
【図８】本考案のランニングマシン本体のフレームが下り坂タイプになる場合の平面図。
【考案を実施するための形態】
【０００９】
図１〜図４に示すのは、本考案の前後リフト機能付きランニングマシン構造の好適な実施例である。
【００１０】
図１、２に示すように、ランニングマシン本体１０は、フレーム１１、走行台１２、ハンドル１３、制御パネル１４を備え、該フレーム１１は、前側１１０と後側１１２があり、該ハンドル１３は両側に設けられ、それぞれ縦向きサイドバー１３０が含まれているが、該縦向きサイドバー１３０の底側が下へフレーム１１の前側１１０の底部に突き出し、置きフレーム１５とつなぐように設けられている。
【００１１】
該ランニングマシン本体１０のフレーム１１前側１１０の底部に設けられ、斜め連動スイングフレーム２１、伸縮駆動装置２２、螺動座２３を備えてなる微調整式の前側リフト調整機構２０が設けられ、該斜め連動スイングフレーム２１の上端は、該フレーム１１前側１１０の底部に、該斜め連動スイングフレーム２１の下端は、前記縦向きサイドバー１３０の底側に接続している。該伸縮駆動装置２２は、モーター２２０とネジ２２２よりなり、該モーター２２０は、前記斜め連動スイングフレーム２１の中間フレーム部に、該ネジ２２２はネジ接続状態で、前記螺動座２３にあるネジ孔２３１を通って、該フレーム１１前側１１０の底部の一箇所に接続されており、前記螺動座２３は、該フレーム１１の前側１１０底部のもう一箇所に位置決められている。
【００１２】
ランニングマシン本体１０のフレーム１１後側１１２の底部に設けられ、二つの位置決めフレームプレート３１と一つのスイング支持フレーム３２を備えてなる二段階位置決め式の後側リフト調整装置３０が設けられ、該両側の位置決めフレームプレート３１は、間隔をあけて対向して、該フレーム１１後側１１２の底部の両側に設けられているが、該位置決めフレームプレート３１はそれぞれ、カーブガイドサイド３１０、該カーブガイドサイド３１０の上端にある上位置決め溝３１２、及び該カーブガイドサイド３１０の下端にある下位置決め溝３１４を備えてなり、前記スイング支持フレーム３２は、二つの接続端部３２０、二つの位置決めリブ３２２と支持端部３２４を備えてなり、前記両側の接続端部３２０は、前記両側の位置決めフレームプレート３１に設けられ、それにより、該支持端部３２４が横向き収納角度の状態または縦向き支持角度の状態でスイングするようになされており、前記両側の位置決めリブ３２２は、前記上位置決め溝３１２または下位置決め溝３１４の位置に合わせて嵌められ、該支持端部３２４の横向き収納角度の状態または縦向き支持角度の状態が位置決められるように設けられている。
【００１３】
図３、４に示すように、前記置きフレーム１５は、コ字形に設けられて、二つの平行延長バー１５０が形成されるが、該二平行延長バー１５０は更に、ローラー１６が設けられている。
【００１４】
前記後側リフト調整装置３０のスイング支持フレーム３２の両側の接続端部３２０には、長い穴３２６が設けられているが、前記位置決めフレームプレート３１には、該スイング支持フレーム３２が接続するための位置決めシャフトボルト３３が設けられ、それによって該長い穴３２６に嵌められるようになるが、また、該位置決めシャフトボルト３３と該スイング支持フレーム３２にある位置決めリブ３２２との間には更に、スプリング３４が設けられ、それにより、常時該位置決めリブ３２２を引くことになり、それにより、前記スイング支持フレーム３２を引いて、復帰スプリング作用が生じるようにして、前記スイング支持フレーム３２が上下作動の際、安定確実に行われるようになされている。
【００１５】
前記スイング支持フレーム３２の支持端部３２４の両側には、ホイール体３５が設けられている。
【００１６】
前記ランニングマシン本体１０のフレーム１１前側１１０のリフト状態に関する詳しい作動状況と原理は、図２、図３、図５に示すように、該フレーム１１の前側１１０は、前記前側リフト調整機構２０の伸縮駆動装置２２にあるモーター２２０によって、ネジ２２２が前進・後退するという位置移動運動が行われて、モーター２２０と接続している前記斜め連動スイングフレーム２１を動かすようにし、それにより、該斜め連動スイングフレーム２１の上端にスイング運動が発生して、前記フレーム１１前側１１０が上下する状態になる。
【００１７】
前記ランニングマシン本体１０のフレーム１１後側１１２のリフト状態に関する詳しい作動状況と原理は、図２、図４、図６に示すように、前記後側リフト調整装置３０のスイング支持フレーム３２にある位置決めリブ３２２が前記上位置決め溝３１２の位置に合わせて嵌められたとき、該支持端部３２４は、横向き収納角度状態となり、該フレーム１１の後側１１２が下降するようになるが、該スイング支持フレーム３２は使用者からの力を受けて動かされると、該スイング支持フレーム３２が接続端部３２０を回転支点とし、そしてカーブガイドサイド３１０のガイド作用を受けて、下位置決め溝３１４方向へスイングするようになり、それにより、該スイング支持フレーム３２の位置決めリブ３２２が該下位置決め溝３１４の位置に合わせて嵌められるようになり、縦向き支持角度となり、該フレーム１１の後側１１２が上昇するようになる。
【００１８】
図７に示すように、前記ランニングマシン本体１０のフレーム１１の前側１１０は、前側リフト調整機構２０によって上がるようになるが、該フレーム１１の後側１１２は、後側リフト調整装置３０のスイング支持フレーム３２を調整、動かすことによって、縦向き支持角度状態となり、該フレーム１１の後側１１２が上がるようになるが、このとき、前記ランニングマシン本体１０のフレーム１１がやや上り坂タイプになる。
【００１９】
上述に続いて、該ランニングマシン本体１０のフレーム１１の前側１１０は、前側リフト調整機構２０を調整、動かすことによって、該フレーム１１の前側１１０が下降し、該フレーム１１の後側１１２が上昇する状態を維持させるようにしたとき、前記ランニングマシン本体１０のフレーム１１が下り坂タイプタイプになる（図８を参照）。
【図１】
0003170794.tif 000003
【図２】
0003170794.tif 000004
【図３】
0003170794.tif 000005
【図４】
0003170794.tif 000006
【図５】
0003170794.tif 000007
【図６】
0003170794.tif 000008
【図７】
0003170794.tif 000009
【図８】
0003170794.tif 000010